(57)【要約】【課題】子供等の対象者の状態を漏れなく撮像すると共に、撮像された撮像情報である写真等の情報から自動的に必要な撮像情報を選別し管理することができる撮像情報管理システム等を提供すること。【解決手段】人間を検知し、撮像する撮像装置１０と、管理装置１００と、携帯端末５０と、を有し、撮像装置により撮像された人間の撮像情報が、特定の対象者Ｐの撮像情報であるか否かを判断する撮像情報判断部１４と、撮像情報判断部で特定の対象者の撮像情報と判断された情報と、参照情報１１７に基づいて、特定の対象者の客観的な状態情報１２１を生成する状態情報生成部１１６と、状態情報を出力する出力部５３と、を備える撮像情報管理システム１。【選択図】図１
2020091658.tif 000002
【特許請求の範囲】
【請求項１】
人間を検知し、撮像する撮像装置と、
前記撮像装置と通信可能な管理装置と、
前記撮像装置及び／又は前記管理装置と通信可能な携帯端末と、を有する撮像情報管理システムであって、
前記撮像装置により撮像された前記人間の撮像情報が、特定の対象者の撮像情報であるか否かを判断する撮像情報判断部と、
前記撮像情報判断部で前記特定の対象者の撮像情報と判断された情報と、参照情報に基づいて、前記特定の前記対象者の客観的な状態情報を生成する状態情報生成部と、
前記状態情報を出力する出力部と、を備えることを特徴とする撮像情報管理システム。
【請求項２】
前記対象者が、前記携帯端末装置を所持する保護者の子供であって、前記撮像装置が、据え置き型撮像装置及び／又は移動型撮像装置を含むことを特徴とする請求項１に記載の撮像情報管理システム。
【請求項３】
前記状態情報には、対象者の発育状態情報のみならず危険動作情報も含むことを特徴とする請求項１又は請求項２に記載の撮像情報管理システム。
【請求項４】
前記撮像情報判断部が、前記特定の対象者の撮像情報と判断した後、撮像情報詳細判断部が、前記対象者について、複数の種類の異なる前記撮像装置が、それぞれ、同一時刻に同一の前記対象者を撮像したか否かを判断し、該当するときは、それぞれの前記撮像装置の当該対象者の前記撮像情報に基づいて前記状態情報を生成することを特徴とする請求項１乃至請求項３のいずれか１項に記載の撮像情報館管理システム。
【請求項５】
人間を検知し、撮像する撮像装置と、前記撮像装置と通信可能な管理装置と、前記撮像装置及び／又は前記管理装置と通信可能な携帯端末と、を有する撮像情報管理システムの制御方法であって、
撮像情報判断部が、前記撮像装置により撮像された前記人間の撮像情報が、特定の対象者の撮像情報であるか否かを判断し、
状態情報生成部が、前記撮像情報判断部で前記特定の前記対象者の前記撮像情報と判断された情報と、参照情報に基づいて、前記特定の前記対象者の客観的な状態情報を生成し、
出力部が、前記状態情報を出力することを特徴とする撮像情報管理システムの制御方法。
【請求項６】
人間を検知し、撮像する撮像装置と、前記撮像装置と通信可能な管理装置と、前記撮像装置及び／又は前記管理装置と通信可能な携帯端末と、を有する撮像情報管理システムに、
撮像情報判断部が、前記撮像装置により撮像された前記人間の撮像情報が、特定の対象者の撮像情報であるか否かを判断する機能、
状態情報生成部が、前記撮像情報判断部で前記特定の前記対象者の前記撮像情報と判断された情報と、参照情報に基づいて、前記特定の前記対象者の客観的な状態情報を生成する機能、
出力部が、前記状態情報を出力する機能、を実行させる撮像情報管理プログラム。
【発明の詳細な説明】
【技術分野】
【０００１】
本発明は、撮像装置等で撮像した画像情報等の撮像情報を管理するための撮像情報管理システム、撮像情報管理システムの制御方法及び撮像情報管理プログラムに関するものである。
【背景技術】
【０００２】
従来、乳幼児等の子供の親等が、自己の子供の各成長段階をカメラで撮像し、その成長記録をアルバムとして管理する提案がなされている（例えば、特許文献１等）。
【先行技術文献】
【特許文献】
【０００３】
【特許文献１】特開２０１３−４１４６４号公報
【発明の概要】
【発明が解決しようとする課題】
【０００４】
しかし、従来、親等が写真等を撮像するときは、子供の状態を把握しながら意図的に子供を撮像することが多く、本来、撮像すべき状態の子供の様子を全て撮像することは困難であるという問題があった。
一方、親等が意図的に子供を撮像せず、自動的に子供等の状態を撮像すると、写真等が大量となり、その保管や選別が困難となるという問題もあった。
【０００５】
そこで、本発明は、子供等の対象者の状態を漏れなく撮像すると共に、撮像された撮像情報である写真等の情報から自動的に必要な撮像情報を選別し管理することができる撮像情報管理システム、撮像情報管理システムの制御方法及び撮像情報管理プログラムを提供することを目的とする。
【課題を解決するための手段】
【０００６】
前記目的は、本発明によれば、人間を検知し、撮像する撮像装置と、前記撮像装置と通信可能な管理装置と、前記撮像装置及び／又は前記管理装置と通信可能な携帯端末と、を有する撮像情報管理システムであって、前記撮像装置により撮像された前記人間の撮像情報が、特定の対象者の撮像情報であるか否かを判断する撮像情報判断部と、前記撮像情報判断部で前記特定の対象者の撮像情報と判断された情報と、参照情報に基づいて、前記特定の前記対象者の客観的な状態情報を生成する状態情報生成部と、前記状態情報を出力する出力部と、を備えることを特徴とする撮像情報管理システムにより達成される。
【０００７】
前記構成によれば、撮像装置で人間を検知し、自動的に撮像し、さらに、撮像情報判断部が、当該撮像情報が、特定の対象者の撮像情報であるか否かを判断する。
そして、特定の対象者の撮像情報と判断された撮像情報と、参照情報に基づき特定の対象者の客観的な撮像情報を生成する。
したがって、子供等の対象者の状態を漏れなく撮像することができると共に、撮像された全ての撮像情報から自動的に必要な特定の対象者の撮像情報を選別し管理することができる。
また、客観的な状態情報を出力するので、対象者の保護者等に、迅速且つ適切に必要な情報を提供することができる。
【０００８】
好ましくは、前記撮像情報管理システムの前記対象者が、前記携帯端末装置を所持する保護者の子供であって、前記撮像装置が、据え置き型撮像装置及び／又は移動型撮像装置を含むことを特徴とする。
【０００９】
前記構成によれば、据え置き型撮像装置と移動型撮像装置が、それぞれ子供の行動を異なるアングル等で撮像することができるので、子供の状態情報をより精度良く生成することができる。
【００１０】
好ましくは、前記撮像情報管理システムの前記状態情報には、対象者の発育状態情報のみならず危険動作情報も含むことを特徴とする。
【００１１】
前記構成によれば、対象者の様々な状態情報、特に、危険動作情報を生成し、その情報を携帯端末装置に送信することで、子供等の対象者の危険状態を迅速に保護者等に通知することができる。
【００１２】
好ましくは、前記撮像情報館管理システムの前記撮像情報判断部が、前記特定の前記対象者の前記撮像情報と判断した後、撮像情報詳細判断部が、前記対象者について、複数の種類の異なる前記撮像装置が、それぞれ、同一時刻に同一の前記対象者を撮像したか否かを判断し、該当するときは、それぞれの前記撮像装置の当該対象者の前記撮像情報に基づいて前記状態情報を生成することを特徴とする。
【００１３】
前記構成によれば、撮像情報判断部の判断のみならず、撮像情報詳細判断部が、対象者について、複数の撮像装置が、それぞれ、同一時刻に同一の対象者を撮像したか否かを判断し、該当するときは、それぞれの撮像装置の当該対象者の撮像情報に基づいて状態情報を生成するので、より精度の高い対象者の状態情報を生成することができる。
【００１４】
前記目的は、本発明によれば、人間を検知し、撮像する撮像装置と、前記撮像装置と通信可能な管理装置と、前記撮像装置及び／又は前記管理装置と通信可能な携帯端末と、を有する撮像情報管理システムの制御方法であって、撮像情報判断部が、前記撮像装置により撮像された前記人間の撮像情報が、特定の対象者の撮像情報であるか否かを判断し、状態情報生成部が、前記撮像情報判断部で前記特定の前記対象者の前記撮像情報と判断された情報と、参照情報に基づいて、前記特定の前記対象者の客観的な状態情報を生成し、出力部が、前記状態情報を出力することを特徴とする撮像情報管理システムの制御方法により達成される。
【００１５】
前記目的は、本発明によれば、人間を検知し、撮像する撮像装置と、前記撮像装置と通信可能な管理装置と、前記撮像装置及び／又は前記管理装置と通信可能な携帯端末と、を有する撮像情報管理システムに、撮像情報判断部が、前記撮像装置により撮像された前記人間の撮像情報が、特定の対象者の撮像情報であるか否かを判断する機能、状態情報生成部が、前記撮像情報判断部で前記特定の前記対象者の前記撮像情報と判断された情報と、参照情報に基づいて、前記特定の前記対象者の客観的な状態情報を生成する機能、出力部が、前記状態情報を出力する機能、を実行させる撮像情報管理プログラムにより達成される。
【発明の効果】
【００１６】
そこで、本発明は、子供等の対象者の状態を漏れなく撮像すると共に、撮像された撮像情報である写真等の情報から自動的に必要な撮像情報を選別し管理することができる撮像情報管理システム、撮像情報管理システムの制御方法及び撮像情報管理プログラムを提供できるという利点がある。
【図面の簡単な説明】
【００１７】
【図１】本発明の撮像情報管理システムである例えば、映像データ管理システムの主な構成を示す概略説明図である。
【図２】図１の置き型カメラの主な構成を示す概略ブロック図である。
【図３】図１のクリップ型カメラの主な構成を示す概略ブロック図である。
【図４】図１の保護者用携帯の主な構成を示す概略ブロック図である。
【図５】図１の管理サーバの主な構成を示す概略ブロック図である。
【図６】第１の管理サーバ各種情報記憶部の主な構成を示す概略ブロック図である。
【図７】第２の管理サーバ各種情報記憶部の主な構成を示す概略ブロック図である。
【図８】第３の管理サーバ各種情報記憶部の主な構成を示す概略ブロック図である。
【図９】第４の管理サーバ各種情報記憶部の主な構成を示す概略ブロック図である。
【図１０】第５の管理サーバ各種情報記憶部の主な構成を示す概略ブロック図である。
【図１１】第６の管理サーバ各種情報記憶部の主な構成を示す概略ブロック図である。
【図１２】乳幼児の情報の登録工程等を示す概略フローチャートである。
【図１３】乳幼児の撮像等の工程を示す概略フローチャートである。
【図１４】管理サーバによる「成長分析工程」を示す概略フローチャートである。
【図１５】管理サーバによる「発育状態判断工程」を示す概略フローチャートである。
【図１６】管理サーバによる「食事状態判断工程」を示す概略フローチャートである。
【図１７】管理サーバによる「トイレ動作状態判断工程」を示す概略フローチャートである。
【図１８】管理サーバによる「遊び方動作状態判断工程」を示す概略フローチャートである。
【図１９】管理サーバによる「危険動作判断処理工程」を示す概略フローチャートである。
【発明を実施するための形態】
【００１８】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００１９】
（映像データ管理システム１の主な構成）
図１は、本発明の撮像情報管理システムである例えば、「映像データ管理システム１」の主な構成を示す概略説明図である。
図１に示すように映像管理システム１は、撮像の対象者である例えば、乳幼児Ｐを撮像するための複数の種類の異なる撮像装置で、据え置き型撮像装置である例えば、「置き型カメラ１０」、同じく撮像装置で移動型撮像装置である例えば、「クリップ型カメラ３０」、乳幼児Ｐの保護者等が所持する携帯可能な携帯端末である例えば、保護者用携帯５０そして、クラウド用コンピュータである管理装置である例えば、「管理サーバ１００」を有している。
【００２０】
また、同システム１は、置き型カメラ１０、クリップ型カメラ３０、管理サーバ１００及び保護者用携帯５０を相互に通信可能な構成とするためにインターネット網２及び基地局３を有している。
【００２１】
図１の置き型カメラ１０は、例えば、乳幼児Ｐが活動するリビングルーム等の定位置に配置されている。このため、置き型カメラ１０は、リビングルームにおける乳幼児Ｐと部屋全体をバランス良く撮像することができる。
クリップ型カメラ３０は、例えば、保護者等が着用している服に、図１のクリップ３１等の固定装置で着脱可能に配置され、保護者等の移動に伴って、その位置が移動されると共に、保護者等の視線で乳幼児Ｐを大きく撮像可能な構成ともなっている。
【００２２】
したがって、本実施の形態にかかる同システム１では、乳幼児Ｐの動作等の状態を、置き型カメラ１０やクリップ型カメラ３０で自動的に撮像し、撮像したデータを基地局３やインターネット網２を介して、例えば、管理サーバ１００へ送信し、適切な処理を経て、有用な情報を、乳幼児Ｐの保護者用端末５０に送信等する構成となっている。
以下、詳細な構成等を説明する。
【００２３】
図１の置き型カメラ１０、クリップ型カメラ３０、保護者用携帯５０及び管理サーバ１００は、コンピュータを有し、図示しないＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等を有し、これらは、バス等を介して接続されている。
【００２４】
（置き型カメラ１０の主な構成）
図２は、図１の置き型カメラ１０の主な構成を示す概略ブロック図である。
図２に示すように、置き型カメラ１０は、「置き型カメラ制御部１１」、「置き型カメラ装置本体１２」、「置き型カメラ人感センサ１３」、「置き型カメラ顔認証装置１４」、「置き型カメラ通信装置１５」、「置き型カメラ各種情報入力装置１６」及び「置き型カメラ各種情報表示装置１７」を有している。
【００２５】
このうち、「置き型カメラ制御部１１」は、上述の各装置を制御する機能を有する。また、「置き型カメラ装置本体１２」は、乳幼児Ｐ等を撮像する装置であり、「置き型カメラ人感センサ１３」は、人間を検知する装置であり、具体的には、人や動物など温度を有する生物から放たれている赤外線の温度変化を検知するセンサである。
本発明の「置き型カメラ人感センサ１３」は、温度変化を検知する人感センサ以外の超音波や可視光などを用いた高性能な人感センサであっても構わない。
【００２６】
「置き型カメラ顔認証装置１４」は、撮像情報判断部の一例であって、「置き型カメラ装置本体１２」で撮像された人間の画像等が特定の対象者である乳幼児Ｐの画像等であるか否かを判断する機能を発揮する。
具体的には、同装置１４には、「顔認証プログラム」が格納されており、同プログラムは、例えば、以下のようなアルゴリズムとなっている
顔画像から目立つ特徴を抽出することで識別する。すなわち、顔のパーツの相対位置や大きさ、目や鼻やほお骨やあごの形を特徴として利用する。
このような特徴を利用して、一致する特徴のある画像を検索する構成となっている。
また、本発明は、本実施の形態に限らず、顔認証の他、体つきや姿勢、服、周りにあるものや環境（例えば、おもちゃ置き場などの背景）などの他の要素を加えることで、乳幼児Ｐとの一致率を向上させることができる。
【００２７】
「置き型カメラ通信装置１５」は、保護者用携帯５０や管理サーバ１００等の他の装置と通信するための装置であり、「置き型カメラ各種情報入力装置１６」は、置き型カメラ１０に各種情報を入力するための装置である。
「置き型カメラ各種情報表示装置１７」は、各種情報を置き型カメラ１０の操作者等のための表示する、例えば、ディスプレイである。
【００２８】
また、図２の示すように、置き型カメラ１０は、「置き型カメラ撮像データ記憶部１８」、「置き型カメラ顔認証用データ記憶部１９」及び「置き型カメラ顔認証済み撮像データ記憶部２０」も有し、これらの内容は後述するが、これらは「置き型カメラ制御部１１」によって制御される。
【００２９】
（クリップ型カメラ３０の主な構成）
図３は、図１のクリップ型カメラ３０の主な構成を示す概略ブロック図である。
図３に示すように、クリップ型カメラ３０は、「クリップ型カメラ制御部３２」、「クリップ型カメラ装置本体３３」、「クリップ型カメラ人感センサ３４」、「クリップ型カメラ顔認証装置３５」、「クリップ型カメラ送信装置３６」、「クリップ型カメラ各種情報入力装置３７」及び「クリップ型カメラ各種情報表示装置３８」を有している。
【００３０】
これらの装置の主な機能等は、上述の「置き型カメラ１０」とほぼ同様である。
また、図３に示すように、クリップ型カメラ３０は、「クリップ型カメラ撮像データ記憶部３９」、「クリップ型カメラ顔認証用データ記憶部４０」及び「クリップ型カメラ顔認証済み撮像データ記憶部４１」も有し、これらの内容は後述するが、これらは「クリップ型カメラ制御部３２」によって制御される。
【００３１】
また、置き型カメラ１０及びクリップ型カメラ３０は、以下の機能を備えても良い。
広角レンズを備える他、明るさに応じて補正する機能を有しても良い。明るさに応じて補正する機能を有する場合は、暗い部屋の中でも撮影することができる。
また、防水機能やタイムラプス機能（異なる時刻において撮像した画像等の時間を早回しで見せることができる機能）、さらに、手振れ補正機能を備えても良い。
【００３２】
（保護者用携帯５０の主な構成）
図４は、図１の保護者用携帯５０の主な構成を示す概略ブロック図である。
図４に示すように、保護者用携帯５０は、「携帯制御部５１」、「携帯側通信装置５２」及び「タッチパネル５３」を有している。
この「タッチパネル５３」は出力部である例えば、ディスプレイと、位置入力装置を組み合わせた電子部品であり、ディスプレイ上の表示に利用者が触れることで各種情報を入力できる入力装置ともなっている。
このタッチパネル５３及び携帯側通信５２は、携帯制御部５１で制御されている。
【００３３】
また、図４に示すように、保護者用携帯５０は、「携帯側各種情報記憶部５４」を有する。この記憶部５４の内容は後述するが、同記憶部５４も、携帯制御部５１で制御されている。
【００３４】
（管理サーバ１００の主な構成）
図５は、図１の管理サーバ１００の主な構成を示す概略ブロック図である。
図５に示すように、管理サーバ１００は、「管理サーバ制御部１０１」、「管理サーバ通信装置１０２」、キーボード等の「管理サーバ各種情報入力装置１０３」及びディスプレイ等の「管理サーバ各種情報表示装置１０４」を有し、管理サーバ制御部１０１は、上述の他の装置１０２等を制御する構成となっている。
【００３５】
また、図５に示すように、管理サーバ１００は、「第１の管理サーバ各種情報記憶部１１０」、「第２の管理サーバ各種情報記憶部１２０」、「第３の管理サーバ各種情報記憶部１３０」、「第４の管理サーバ各種情報記憶部１４０」、「第５の管理サーバ各種情報記憶部１５０」及び「第６の管理サーバ各種情報記憶部１６０」を有し、これらは、管理サーバ制御部１０１によって制御される構成となっている。また、後述する本実施の形態の変形例の「同一時刻撮像情報判断部（プログラム）１７０」も管理サーバ制御部１０１によって制御されている。
図６乃至図１１は、それぞれ、「第１の管理サーバ各種情報記憶部１１０」乃至「第６の管理サーバ各種情報記憶部１６０」の主な構成を示す概略ブロック図である。これらの内容については、後述する。
【００３６】
（本実施の形態の動作例）
図１２乃至図１９は、本実施の形態にかかる映像データ管理システム１の動作例を示す概略フローチャートである。
以下、図１２乃至図１９のフローチャートに従い、動作例を説明する。
【００３７】
本実施の形態では、図１の乳幼児Pの保護者である母親が保護者用携帯５０を所持する。また、例えば、乳幼児Pが主に活動するリビングルーム（居室）の床に、置き型カメラ１０が配置される。このため、置き型カメラ１０は、リビングルームで活動する乳幼児Pを部屋全体との関係でバランスよく撮像することができる。
一方、母親の胸元には、クリップ３１を介して、クリップ型カメラ３０が配置されている。このクリップ型カメラ３０は、母親の目線で乳幼児Pを撮像することができる。
このように異なる種類のカメラである置き型カメラ１０とクリップ型カメラ３０が自動的に乳幼児Ｐを撮像するため、乳幼児Ｐの自然な様子を多角的に詳細に撮像することができる。
なお、本実施の形態では、異なる種類の置き型カメラ１０とクリップ型カメラ３０を用いたが、本発明は、これに限らず、いずれか一方のみのカメラを用いても構わない。
【００３８】
このような例に基づき、以下、説明する。
（乳幼児Ｐの情報の登録工程）
図１２は、乳幼児Ｐの情報の登録工程等を示す概略フローチャートである。
先ず、図１２のステップ（以下「ＳＴ」とする。）１で、保護者である母親は、自己の保護者用携帯５０に乳幼児Ｐの顔写真、生年月日等の個人データを入力する。
具体的には、図４の保護者用携帯５０の携帯側各種情報記憶部５４に、乳幼児Ｐの顔写真、生年月日等の個人データを記憶する。
そして、保護者用携帯５０は、図４の携帯側通信装置５２等を介して、この個人データを図１の管理サーバ１００へ送信し、管理サーバ１００は、図６の「個人データ記憶部１１１」に記憶する。
【００３９】
次いで、ＳＴ２へ進む。ＳＴ２では、管理サーバ１００が、個人データ記憶部１１１の個人データのうち、少なくとも「乳幼児Ｐの顔写真」データを図１の「置き型カメラ１０」及び「クリップ型カメラ３０」へ送信する。
「置き型カメラ１０」及び「クリップ型カメラ３０」では、「乳幼児Ｐの顔写真」データが、図２の「置き型カメラ顔認証用データ記憶部１９」及び図３の「クリップ型カメラ顔認証用データ記憶部４０」に記憶される。
以上で、乳幼児Ｐの顔写真等の登録工程が終了する。
【００４０】
（乳幼児Ｐの撮像等の工程）
次いで、図１の置き型カメラ１０とクリップ型カメラ３０が、乳幼児Ｐの画像（写真及び／又は動画等）を自動的に撮像し、記憶する工程を説明する。
図１３は、乳幼児Ｐの撮像等の工程を示す概略フローチャートである。
先ず、置き型カメラ１０とクリップ型カメラ３０を起動させると、ＳＴ１１及びＳＴ１２で、図２の「置き型カメラ人感センサ１３」と図３の「クリップ型カメラ人感センサ３４」が動作し、これらの人感センサ１３、３４が、人体を検知する。
【００４１】
そして、ＳＴ１１及びＳＴ１２で、人感センサ１３、３４が人体を検知すると、ＳＴ１３及びＳＴ１４へ進む。
ＳＴ１３及びＳＴ１４では、置き型カメラ１０とクリップ型カメラ３０が、それぞれ、撮像した画像データを図２の「置き型カメラ撮像データ記憶部１８」、図３の「クリップ型カメラ撮像データ記憶部３９」に記憶させる。
【００４２】
次いで、ＳＴ１５及びＳＴ１６へ進む。ＳＴ１５では、置き型カメラ１０の「置き型カメラ顔認証装置１４」が動作し、当該装置１４が図２の「置き型カメラ顔認証用データ記憶部１９」の乳幼児Ｐの顔データと、「置き型カメラ撮像データ記憶部１８」の画像データを比較し、「置き型カメラ撮像データ記憶部１８」の画像データが、乳幼児Ｐの顔データと同一性の範囲内であるか否かを判断する。
具体的には、上述のように、乳幼児Ｐの顔データから顔のパーツの相対位置や大きさ、目や鼻やほお骨やあごの形を目立つ特徴として抽出し、同一性の範囲を判断する。
【００４３】
そして、「置き型カメラ顔認証装置１４」が、同一性の範囲内であると判断した「置き型カメラ撮像データ記憶部１８」の画像データは、図２の「置き型カメラ顔認証済み撮像データ記憶部２０」に記憶される。
【００４４】
ＳＴ１６では、クリップ型カメラ３０で、置き型カメラ１０と同様な処理が実行される。すなわち、クリップ型カメラ３０の「クリップ型カメラ顔認証装置３５」が動作し、当該装置３５が「クリップ型カメラ顔認証用データ記載部４０」のデータと「クリップ型カメラ撮像データ記憶部３９」のデータ比較し、画像データが、乳幼児Ｐの顔データと同一性の範囲内であるか否かを判断する。
そして、「クリップ型カメラ認証装置３５」が、同一性の範囲内であると判断した「クリップ型カメラ撮像データ記憶部３９」の画像データは、図３の「クリップ型カメラ顔認証済み撮像データ記憶部４１」にも記憶される。
【００４５】
したがって、置き型カメラ装置１０等は、人間を自動的に検知して撮像すると共に、その撮像された画像のうち、乳幼児Ｐの画像データを選択して記憶する機能を有する。
このため、乳幼児Ｐの状態を漏れなく自動的に撮像することができると共に、撮像された全ての画像情報から自動的に乳幼児Ｐの画像を選択し、記憶することができる構成となっている。
【００４６】
特に、母親が意図的に乳幼児Ｐを撮影しようとしなくても、乳幼児Ｐを識別して撮影することができるので、母親が乳幼児Ｐを撮影する所謂「シャッターチャンス」を逃す可能性を著しく低下させることができ、乳幼児Ｐの自然な様子を容易に撮像することができる。
また、置き型カメラ装置１０等が、人間を自動的に撮影することによる大量な画像情報は、同顔認証装置３５等により、自動的に選別、保管されるので、母親等が管理し易い構成となっている。
【００４７】
次いで、ＳＴ１７及びＳＴ１８へ進む。ＳＴ１７では、置き型カメラ１０の置き型カメラ通信装置１５が動作し、管理サーバ１００に、「置き型カメラ顔認証済み撮像データ記憶部２０」のデータを送信する。
【００４８】
ＳＴ１８では、ＳＴ１７の置き型カメラ１０と同様に、クリップ型カメラ３０のクリップ型カメラ通信装置３６が動作し、管理サーバ１００に「クリップ型カメラ顔認証済みデータ記憶部４１」のデータを送信する。
【００４９】
次いで、ＳＴ１９及びＳＴ２０へ進む。ＳＴ１９では、管理サーバ１００が受信した「置き型カメラ顔認証済み撮像データ記憶部２０」のデータを図６の「管理サーバ側置き型カメラ顔認証済み撮像データ記憶部１１２」に記憶する。
また、ＳＴ２０では、ＳＴ１９と同様に、管理サーバ１００が受信した「クリップ型カメラ顔認証済みデータ記憶部４１」のデータを図６の「管理サーバ側クリップ型カメラ顔認証済み撮像データ記憶部１１３」に記憶する。
【００５０】
以上で、置き型カメラ１０及びクリップ型カメラ３０が撮像した乳幼児Ｐの画像を管理サーバ１００が効率的に取得することができる。
このように取得した乳幼児Ｐの画像データは、その撮像時刻データと共に記憶される構成となっている。
この撮像時刻データは、置き型カメラ１０及びクリップ型カメラ３０の計時装置等に基づいて付与される。
【００５１】
さらに、上述の図１３のフローチャートでは、種類の異なるカメラである「置き型カメラ１０」と「クリップ型カメラ３０」で乳幼児Ｐの様子を撮像するので、乳幼児Ｐの動作を漏れなく撮像することができる。
【００５２】
このように乳幼児Ｐの画像データを管理サーバ１００が取得することで、管理サーバ１００は、乳幼児Ｐについて、状態情報である例えば、「成長分析情報」、「発達状況情報」、「食事状態情報」、「トイレ動作状態情報」、「遊び方動作状態情報」及び「危険動作判断情報」等を生成し、それらの情報を母親の保護者用携帯５０に送信することができる構成となっている。
【００５３】
以下、具体的に説明する。
（成長分析工程）
図１４は、管理サーバ１００による「成長分析工程」を示す概略フローチャートである。
以下、同フローチャートに従い、「成長分析工程」を説明する。
先ず、図１５のＳＴ３１で、管理サーバ１００の図６の「身長体重推測処理部（プログラム）１１４」が動作し、「管理サーバ側置き型カメラ顔認証済み撮像データ記憶部１１２」及び「管理サーバ側クリップ型カメラ顔認証済みデータ記憶部１１３」を参照し、乳幼児Ｐの身長体重を推測し、図６の「推定身長体重記憶部１１５」に記憶させる。
【００５４】
次いで、ＳＴ３２に進む。ＳＴ３２では、管理サーバ１００の図６の「成長分析判断データ処理部（プログラム）１１６」が動作し、図６の「推定身長体重記憶部１１５」、「成長分析基準データ記憶部１１７」及び「個人データ記憶部１１１」を参照する。
この「成長分析基準データ記憶部１１７」には、参照情報である例えば、乳幼児の月齢による標準身長、標準体重等の基準データを記憶している。
【００５５】
したがって、同処理部１１６は、「推定身長体重記憶部１１５」の乳幼児Ｐの体重と身長と、「個人データ記憶部１１１」と「成長分析基準データ記憶部１１７」から特定される乳幼児Ｐの月齢における標準体重や標準身長と比較し、標準との差分データである「成長分析データ」を作成し、図６の「成長分析データ記憶部１１８」に記憶する。
【００５６】
このようにして、管理サーバ１００は、乳幼児Ｐの画像データから身長や体重等に基づく成長分析情報（発育状態情報の一例）を生成することができる。
このように、「成長分析データ処理部１１６」等は状態情報生成部の一例となっている。
【００５７】
次いで、ＳＴ３３へ進む。ＳＴ３３では、管理サーバ１００は、「成長分析データ記憶部１１８」の成長分析データを図１の保護者用携帯５０へ送信する。そして、保護者用携帯５０は、「成長分析データ」をタッチパネル５３に表示する。
したがって、保護者である母親は、乳幼児Ｐの成長が標準と比べて、どの程度であるかを容易に把握することができる。
【００５８】
（発達状況判断工程）
図１５は、管理サーバ１００による「発育状態判断工程」を示す概略フローチャートである。
以下、同フローチャートに従い、「発育状態判断工程」を説明する。
先ず、図１５のＳＴ４１で、管理サーバ１００の図７の「動作サンプル抽出処理部（プログラム）１２２」が動作し、「管理サーバ側置き型カメラ顔認証済み撮像データ記憶部１１２」及び「管理サーバ側クリップ型カメラ顔認証済みデータ記憶部１１３」を参照し、乳幼児Ｐの足や手等の部位の動作等の画像について、時系列にサンプルを抽出し、図７の「動作抽出サンプル記憶部１２３」に記憶する。
【００５９】
次いでＳＴ４２へ進む。ＳＴ４２では、管理サーバ１００の図７の「発達状況判断処理部（プログラム）１２４」が動作し、「動作抽出サンプル記憶部１２３」、「月齢別部位動作基準情報記憶部１２５」及び図６の「個人データ記憶部１１１」を参照する・
この「月齢別部位動作基準情報記憶部１２５」には、参照情報である例えば、乳幼児の月齢別の足や手等の部位の基準動作データを記憶している。
【００６０】
したがって、同処理部１２４は、「動作抽出サンプル記憶部１２３」の足や手等の部位の動作の画像と、「個人データ記憶部１１１」と「月齢別部位動作基準情報記憶部１２５」から特定される乳幼児Ｐの対応する月齢のデータを比較し、基準の月齢データに比べ、乳幼児Ｐが発達しているか否か、疾患の可能性の有無等を判断する。
そして、乳幼児Ｐの発達状況を「基準以上の発達」、「通常の発達」、「基準以下の発達」、「疾患の可能性の有無」等に分け、乳幼児Ｐの個人データと関連付けて、図７の「発達状況データ記憶部１２６」に記憶させる。
【００６１】
このようにして、管理サーバ１００は、乳幼児Ｐの画像データから、乳幼児Ｐの月齢別の足や手等の部位の動作に基づく発達状況情報（発育状態情報の一例）を生成することができる。
このようにして、「発達状況判断処理部１２４」等は状態情報生成部の一例となる。
【００６２】
次いで、ＳＴ４３に進む。ＳＴ４３では、管理サーバ１００は、「発達状況データ記憶部１２６」の発達状況データを図１の保護者用携帯５０へ送信する。そして、保護者用携帯５０は、「発達状況データ」をタッチパネル５３に表示する。
したがって、保護者である母親は、乳幼児Ｐの発達が標準と比べて、どの程度であるかを容易に把握することができる。
【００６３】
（食事状態判断工程）
図１６は、管理サーバ１００による「食事状態判断工程」を示す概略フローチャートである。
以下、同フローチャートに従い、「食事状態判断工程」を説明する。
先ず、図１６のＳＴ５１で、管理サーバ１００の図８の「食事サンプル抽出処理部（プログラム）１３３」が動作し、図６の「管理サーバ側置き型カメラ顔認証済み撮像データ記憶部１１２」、「管理サーバ側クリップ型カメラ顔認証済みデータ記憶部１１３」及び「食事サンプル抽出用データ記憶部１３２」を参照する。
この食事サンプル抽出用データ記憶部１３２には、食器や人の食事動作等のサンプルデータが記憶されている。
【００６４】
同処理部１３３は、食事サンプル抽出用データ記憶部１３２のサンプルデータを基準に、「管理サーバ側置き型カメラ顔認証済み撮像データ記憶部１１２」、「管理サーバ側クリップ型カメラ顔認証済みデータ記憶部１１３」から乳幼児Ｐの口、手等の食事動作について時系列にサンプルを抽出し、図８の「食事抽出サンプル記憶部１３４」に記憶する。
【００６５】
次いで、ＳＴ５２へ進む。ＳＴ５２では、管理サーバ１００の図８の「食事状態判断処理部（プログラム）１３６」が動作し、「食事抽出サンプル記憶部１３４」、「月齢別食事動作基準情報記憶部１３５」及び図６の「個人データ記憶部１１１」を参照する。
この「月齢別食事動作基準情報記憶部１３５」には、参照情報である例えば、乳幼児の月齢別の口、足や手等の食事の基準動作データと対応する「メニューデータ」と、その「食べさせ方データ」が記憶されている。
【００６６】
したがって、同処理部１３３は、「食事抽出サンプル記憶部１３４」の乳幼児Ｐの口、手等の食事動作の画像と、「個人データ記憶部１１１」と「月齢別食事動作基準情報記憶部１３５」から特定される乳幼児Ｐの月齢の口、足や手等の食事の基準動作データとを比較する。そして、当該月齢の基準動作との差異に基づき、食事動作の発達の程度を判断する。
例えば、「基準以上の発達」、「通常の発達」、「基準以下の発達」等に分け、それぞれの発達の程度に合わせた「メニュー」や「食べさせ方」のデータを乳幼児Ｐの個人データと関連付けて図８の「食事状態データ記憶部１３７」に記憶させる。
【００６７】
このようにして、管理サーバ１００は、乳幼児Ｐの画像データから、乳幼児Ｐの月齢別の口、足や手等の食事の基準動作に基づく食事状態情報（発育状態情報の一例）を生成することができる。
このように、「食事状態判断処理部（プログラム）１３６」等は状態情報生成部の一例となっている。
【００６８】
次いで、ＳＴ５３に進む。ＳＴ５３では、管理サーバ１００は、「食事状態データ記憶部１３７」の食事状態データを図１の保護者用携帯５０へ送信する。そして、保護者用携帯５０は、「食事状態データ」をタッチパネル５３に表示する。
したがって、保護者である母親は、乳幼児Ｐの発達が標準と比べて、どの程度であるかを容易に把握することができると共に、乳幼児Ｐの発達程度に合致した「メニュー」や「食べさせ方」の情報も取得することができる。
【００６９】
（トイレ動作状態判断工程）
図１７は、管理サーバ１００による「トイレ動作状態判断工程」を示す概略フローチャートである。
以下、同フローチャートに従い、「トイレ動作状態判断工程」を説明する。
先ず、図１７のＳＴ６１で、管理サーバ１００の図９の「トイレ動作サンプル抽出処理部（プログラム）１４６」が動作し、図６の「管理サーバ側置き型カメラ顔認証済み撮像データ記憶部１１２」、「管理サーバ側クリップ型カメラ顔認証済みデータ記憶部１１３」及び「トイレ動作サンプル抽出用データ記憶部１４３」を参照する。
このトイレ動作サンプル抽出用データ記憶部１４３には、便器や人の排尿、排便のトイレ動作等のサンプルデータが記憶されている。
【００７０】
同処理部１３６は、トイレ動作サンプル抽出用データ記憶部１４３のサンプルデータを基準に、「管理サーバ側置き型カメラ顔認証済み撮像データ記憶部１１２」、「管理サーバ側クリップ型カメラ顔認証済みデータ記憶部１１３」から乳幼児Ｐの排尿、排便等のトイレ動作について時系列にサンプル抽出し、図９の「トイレ動作抽出サンプル記憶部１４５」に記憶する。
【００７１】
次いで、ＳＴ６２へ進む。ＳＴ６２では、管理サーバ１００の図９の「トイレ動作状態判断処理部（プログラム）１４７」が動作し、図９の「トイレ動作抽出サンプル記憶部１４５」、「月齢別トイレ動作基準情報記憶部１４４」及び図６の「個人データ記憶部１１１」を参照する。
この「月齢別トイレ動作基準情報記憶部１４４」には、参照情報である例えば、乳幼児の月齢別のトイレの基準動作データが記憶されている。
【００７２】
したがって、同処理部１４７は、「トイレ動作抽出サンプル記憶部１４５」の乳幼児Ｐの排尿、排便等のトイレ動作の画像と、「個人データ記憶部１１１」と「月齢別トイレ動作基準情報記憶部１４４」から特定される乳幼児Ｐの月齢のトイレの基準動作データとを比較する。そして、当該月齢の基準動作との差異に基づき、トイレ動作の発達の程度を判断する。
例えば、「基準以上の発達」、「通常の発達」、「基準以下の発達」等に分けて、乳幼児Ｐの個人データと関連付けて図９の「トイレ動作状態データ記憶部１４８」に記憶させる。
【００７３】
このようにして、管理サーバ１００は、乳幼児Ｐの画像データから、乳幼児Ｐの月齢別のトイレ基準動作に基づくトイレ動作状態情報（発育状態情報の一例）を生成することができる。
このように、「トイレ動作状態判断処理部１４７」等は状態情報生成部の一例となっている。
【００７４】
次いで、ＳＴ５３に進む。ＳＴ５３では、管理サーバ１００は、「トイレ動作状態データ記憶部１４８」のトイレ動作状態データを図１の保護者用携帯５０へ送信する。そして、保護者用携帯５０は、「トイレ動作状態データ」をタッチパネル５３に表示する。
したがって、保護者である母親は、乳幼児Ｐのトイレ動作が標準と比べて、どの程度であるかを容易に把握することができる。
【００７５】
（遊び方動作状態判断工程）
図１８は、管理サーバ１００による「遊び方動作状態判断工程」を示す概略フローチャートである。
以下、同フローチャートに従い、「遊び方動作状態判断工程」を説明する。
先ず、図１８のＳＴ７１で、管理サーバ１００の図１０の「遊び方動作サンプル抽出処理部（プログラム）１５２」が動作し、図６の「管理サーバ側置き型カメラ顔認証済み撮像データ記憶部１１２」、「管理サーバ側クリップ型カメラ顔認証済みデータ記憶部１１３」及び「遊び方動作サンプル抽出用データ記憶部１５１」を参照する。
この遊び方動作サンプル抽出用データ記憶部１５１には、人の遊び方動作等のサンプルデータが記憶されている。
【００７６】
したがって、同処理部１５２は、「遊び方動作サンプル抽出用データ記憶部１５１」のサンプルデータを基準に、「管理サーバ側置き型カメラ顔認証済み撮像データ記憶部１１２」、「管理サーバ側クリップ型カメラ顔認証済みデータ記憶部１１３」から乳幼児Ｐの遊び方動作について時系列にサンプル抽出し、図１１の「遊び方動作抽出サンプル記憶部１５３」に記憶する。
【００７７】
次いで、ＳＴ７２へ進む。ＳＴ７２では、管理サーバ１００の図１０の「遊び方状態判断処理部（プログラム）１５４」が動作し、図１０の「遊び方動作抽出サンプル記憶部１５３」、「月齢別遊び方動作基準情報記憶部１５５」及び図６の「個人データ記憶部１１１」を参照する。
この「月齢別遊び方動作基準情報記憶部１５５」には、参照情報である例えば、乳幼児の月齢別の遊び方動作の基準動作等のデータが記憶されている。
【００７８】
したがって、同処理部１５４は、「遊び方動作抽出サンプル記憶部１５３」の乳幼児Ｐの遊び方動作の画像と、「個人データ記憶部１１１」と「月齢別遊び方動作基準情報記憶部１５５」から特定される乳幼児Ｐの月齢の遊び方動作データとを比較する。そして、当該月齢の基準動作との差異に基づき、遊び動作の発達の程度を判断する。
例えば、「基準以上の発達」、「通常の発達」、「基準以下の発達」等に分けて、乳幼児Ｐの個人データと関連付けて図１０の「遊び方状態データ記憶部１５６」に記憶させる。
【００７９】
このようにして、管理サーバ１００は、乳幼児Ｐの画像データから、乳幼児Ｐの月齢別の遊び方の基準動作に基づく遊び方状態情報（発育状態情報の一例）を生成することができる。
このように、「遊び方状態判断処理部１５４」等は状態情報生成部の一例となっている。
【００８０】
次いで、ＳＴ７３に進む。ＳＴ７３では、管理サーバ１００は、「遊び方状態データ記憶部１５６」の遊び方状態データを図１の保護者用携帯５０へ送信する。そして、保護者用携帯５０は、「遊び方状態データ」をタッチパネル５３に表示する。
したがって、保護者である母親は、乳幼児Ｐのトイレ動作が標準と比べて、どの程度であるかを容易に把握することができる。
【００８１】
（危険動作判断処理工程）
図１９は、管理サーバ１００による「危険動作判断処理工程」を示す概略フローチャートである。
以下、同フローチャートに従い、「危険動作判断処理工程」を説明する。
先ず、図１９のＳＴ８１で、管理サーバ１００の図１１の「危険動作サンプル抽出処理部（プログラム）１６１」が動作し、図６の「管理サーバ側置き型カメラ顔認証済み撮像データ記憶部１１２」及び「管理サーバ側クリップ型カメラ顔認証済みデータ記憶部１１３」を参照する。
【００８２】
そして、同処理部１６１は「管理サーバ側置き型カメラ顔認証済み撮像データ記憶部１１２」及び「管理サーバ側クリップ型カメラ顔認証済みデータ記憶部１１３」から乳幼児Ｐの動作について時系列にサンプル抽出し、図１１の「サンプル動作記憶部１６２」に記憶する。
【００８３】
次いでＳＴ８２へ進む。ＳＴ８２では、管理サーバ１００の図１２の「危険動作判断処理部（プログラム）１６３」が動作し、図１１の「サンプル動作記憶部１６２」及び「危険動作基準データ記憶部１６４」を参照する。
この「危険動作基準データ記憶部１６４」には、参照情報である例えば、乳幼児の「危険なうつぶせ」「ベビーベッドからの転落」等の危険動作等の危険動作基準データが記憶されている。
【００８４】
したがって、同処理部１６３は、「サンプル動作記憶部１６２」の乳幼児Ｐの動作の画像と、「危険動作基準データ記憶部１６４」の危険動作データとを比較する。そして、基準動作との差異に基づき、危険動作の有無を判断する。
【００８５】
このようにして、管理サーバ１００は、乳幼児Ｐの画像データから、乳幼児Ｐの危険動作基準データに基づく危険動作情報（危険動作情報の一例）を生成することができる。
このように、「危険動作判断処理部１６３」等は状態情報生成部の一例となっている。
【００８６】
次いで、ＳＴ８３に進む。ＳＴ８３では、管理サーバ１００は、「危険動作」があると判断したときは、同データを図１の保護者用携帯５０へ送信する。そして、保護者用携帯５０は、「危険動作の発生」をタッチパネル５３に表示する。
したがって、保護者である母親は、乳幼児Ｐの危険動作の発生を容易に把握することができる。
【００８７】
以上のように、本実施の形態では、「置き型カメラ１０」と「クリップ型カメラ３０」で自動的に撮像した画像データに基づき、自動的に乳幼児Ｐの成長分析等の発育情報を生成できるのみならず、危険動作の発生の情報も自動的に生成し、保護者に報知することができる。
すなわち、自動的に置き型カメラ１０等で撮像した大量の画像データから、必要なデータを自動的に選別し、必要な情報のみを効率的に保護者に提供することができる。
【００８８】
また、本実施の形態では、管理サーバ１００は、状態情報等の必要な情報を保護者の保護者用端末５０に送信することができるので、複数の端末５０を管理サーバ１００にアクセス可能とすることで、端末５０を所有する複数の家族と同カメラ１０、３０で撮像された写真等を容易に共有することができる。
【００８９】
（本実施の形態の変形例）
本実施の形態では、上述の図１３のフローチャートに示すように、「置き型カメラ１０」と「クリップ型カメラ３０」がそれぞれ「置き型カメラ顔認証装置１４」、「クリップ型カメラ顔認証装置３５」により、乳幼児Ｐとの同一性を判断する構成となっているが、本発明は、これに限らず、これと異なる構成としても構わない。
【００９０】
例えば、管理サーバ１００が、図２の「置き型カメラ顔認証済み撮像データ記憶部２０」と図３の「クリップ型カメラ顔認証済み撮像データ記憶部４１」のデータを取得する点は、上述の実施の形態と同様であるが、本変形例では、図５の「同一時刻撮像情報判断部（プログラム）１７０」（撮像情報詳細判断部の一例）が動作し、乳幼児Ｐを双方のカメラ１０，３０が、それぞれ、同一時刻に撮像したか否かを判断し、同一時刻に撮像したときのみ、管理サーバ１００が顔認証済み撮像データとして記憶する構成となっており、この点が上述の実施の形態と相違する。
そして、このように記憶した顔認証済み撮像データに基づき、上述の「成長分析工程」、「発達状況判断工程」、「食事状態判断工程」、「トイレ動作状態判断工程」、「遊び方動作状態判断工程」及び「危険動作判断処理工程」等を実行する。
すなわち、本変形例では、乳幼児Ｐの特定の動作が、双方のカメラ１０、３０の異なったアングル等で撮像されたときにのみ顔認証済み撮像データとして記憶されることになる。
【００９１】
この場合、対象者である乳幼児Ｐの特定の動作について、複数の画像等が撮像され、且つ、これらの画像は、上記カメラ１０とカメラ３０で撮像されるため、異なったアングル等の画像となる、
したがって、より精度の高い乳幼児Ｐの状態情報を生成することができる。
【００９２】
また、本実施の形態では、乳幼児Ｐの顔認証を「置き型カメラ１０」及び「クリップ型カメラ３０」で実行しているが、本発明はこれに限らず、乳幼児Ｐの顔認証の工程を、保護者用携帯５０や管理サーバ１００が実行しても構わない。
また、本実施の形態では、カメラ１０，３０で撮像されたデータが管理サーバ１００で処理され、保護者用携帯５０に送信される構成となっているが、本発明はこれに限らず、カメラ１０，３０で撮像されたデータをデザリング通信等を用いて保護者用携帯５０へ送信し、同携帯５０で処理し、管理サーバ１００へ送信する構成としても構わない。
【００９３】
以上説明した本実施形態においては、装置として実現される場合を例に挙げて説明したが、本発明は、これに限定されず、コンピュータに実行させることのできるプログラムとして、磁気ディスク（フロッピー（登録商標）ディスク、ハードディスクなど）、光ディスク（ＣＤ−ＲＯＭ、ＤＶＤなど）光磁気ディスク（ＭＯ）、半導体メモリなどの記憶媒体に格納され頒布されてもよい。
【００９４】
また、記憶媒体は、プログラムを記憶でき、かつコンピュータが読み取り可能な記憶媒体であればよい。記憶媒体の記憶形式は、特には限定されない。
【００９５】
また、記憶媒体からコンピュータにインストールされたプログラムの指示に基づきコンピュータ上で稼働しているＯＳ（オペレーティングシステム）や、データベース管理ソフト、ネットワークソフト等のＭＷ（ミドルウェア）等が本実施形態を実現するための各処理の一部を実行してもよい。
【００９６】
さらに、本発明における記憶媒体は、コンピュータと独立した媒体には限定されず、ＬＡＮやインターネット等により伝送されたプログラムをダウンロードして記憶または一時記憶した記憶媒体も含まれる。
【００９７】
また、本発明におけるコンピュータは、記憶媒体に記憶されたプログラムに基づいて本実施形態における各処理を実行すればよく、１つのパソコン等からなる装置であってもよいし、複数の装置がネットワーク接続されたシステム等であってもよい。
【００９８】
また、本発明におけるコンピュータとは、パソコンには限定されず、情報処理機器に含まれる演算処理装置、マイコン等も含み、プログラムによって本発明の機能を実現することが可能な機器、装置を総称している。
【００９９】
以上、本発明の実施形態について説明した。しかし、本発明は、上記実施形態に限定されず、特許請求の範囲を逸脱しない範囲で種々の変更を行うことができる。
【符号の説明】
【０１００】
１・・・映像データ管理システム、２・・・インターネット網、３・・基地局、１０・・・・置き型カメラ、１１・・・置き型カメラ制御部、１２・・・置き型カメラ装置本体、１３・・・置き型カメラ人感センサ、１４・・・置き型カメラ顔認証装置、１５・・・置き型カメラ通信装置、１６・・・置き型カメラ各種情報入力装置、１７・・・置き型カメラ各種情報表示装置、１８・・・置き型カメラ撮像データ記憶部、１９・・・置き型カメラ顔認証用データ記憶部、２０・・・置き型カメラ顔認証済み撮像データ記憶部、３０・・・クリップ型カメラ、３１・・・クリップ、３２・・・クリップ型カメラ制御部、３３・・・クリップ型カメラ装置本体、３４・・・クリップ型カメラ人感センサ、３５・・・クリップ型カメラ顔認証装置、３６・・・クリップ型カメラ送信装置、３７・・・クリップ型カメラ各種情報入力装置、３８・・・クリップ型カメラ各種情報表示装置、３９・・・クリップ型カメラ撮像データ記憶部、４０・・・クリップ型カメラ顔認証用データ記憶部、４１・・・クリップ型カメラ顔認証撮像データ記憶部、５０・・・保護者用携帯、５１・・・携帯制御部、５２・・・携帯側通信、５３・・・タッチパネル、５４・・・携帯側各種情報記憶部、１００・・・管理サーバ、１０１・・・管理サーバ制御部、１０２・・・管理サーバ通信装置、１０３・・・管理サーバ各種情報入力装置、１０４・・・管理サーバ各種情報表示装置、１１０・・・第１の管理サーバ各種情報記憶部、１２０・・・第２の管理サーバ各種情報記憶部、１３０・・・第３の管理サーバ各種情報記憶部、１４０・・・第４の管理サーバ各種情報記憶部、１５０・・・第５の管理サーバ各種情報記憶部、１６０・・・第６の管理サーバ各種情報記憶部、Ｐ・・・乳幼児
【図１】
2020091658.tif 000003
【図２】
2020091658.tif 000004
【図３】
2020091658.tif 000005
【図４】
2020091658.tif 000006
【図５】
2020091658.tif 000007
【図６】
2020091658.tif 000008
【図７】
2020091658.tif 000009
【図８】
2020091658.tif 000010
【図９】
2020091658.tif 000011
【図１０】
2020091658.tif 000012
【図１１】
2020091658.tif 000013
【図１２】
2020091658.tif 000014
【図１３】
2020091658.tif 000015
【図１４】
2020091658.tif 000016
【図１５】
2020091658.tif 000017
【図１６】
2020091658.tif 000018
【図１７】
2020091658.tif 000019
【図１８】
2020091658.tif 000020
【図１９】
2020091658.tif 000021